(57)【要約】【課題】  長靴において、使用者の足元に十分な防寒性能を確保しながら、足蒸れ等を防いで靴内環境の快適化を図ること。【解決手段】  長靴１０の裏布２０が爪先部２２の側の保温素材３０と、履口部２１の側の他の素材４０からなるものとされ、保温素材３０は、少なくとも爪先部２２に対応する一部において、裏布２０の内部に挿入された足１に直接的に接するように設けられ、他の素材４０は裏布２０の内部に挿入された足１との間に通気空間Ａを形成するように設けられてなるもの。【選択図】  図１
0003206926.tif 000002
【実用新案登録請求の範囲】
【請求項１】
長靴本体の内面に裏布が設けられ、この裏布の内部の履口部の側から爪先部の側へ足が挿入されて用いられる長靴であって、
裏布における履口部から爪先部への足の挿入経路の中間部を素材切換部として定め、裏布の爪先部から素材切換部までの範囲に設けられる素材が保温素材からなり、裏布の履口部から素材切換部までの範囲に設けられる素材が上記保温素材と異なる他の素材からなるものとされ、
保温素材は、少なくとも爪先部に対応する一部において、裏布の内部に挿入された足に直接的に接するように設けられ、
他の素材は裏布の内部に挿入された足との間に通気空間を形成するように設けられてなることを特徴とする長靴。
【請求項２】
前記裏布の内部に足のひざ下部までが挿入されるとき、裏布の内部で足首よりも上部に対応する部位が素材切換部とされてなる請求項１に記載の長靴。
【請求項３】
前記保温素材がボア素材からなり、ボア素材の毛が裏布の内部に挿入された足に直接的に接するように設けられる請求項１又は２に記載の長靴。
【請求項４】
前記ボア素材が基材の表面に多数の毛を林立してなり、毛の長さが０．５cm乃至６．０cmの範囲に設定されてなる請求項３に記載の長靴。
【請求項５】
前記他の素材がウレタン素材、天然繊維、化学繊維素材から選ばれた一種からなる請求項１乃至４のいずれかに記載の長靴。
【請求項６】
前記長靴本体には、該長靴が保温履物であることを示した商品表示が付されてなる請求項１乃至５のいずれかに記載の長靴。
【考案の詳細な説明】
【技術分野】
【０００１】
本考案は長靴に関する。
【背景技術】
【０００２】
従来の長靴として、特許文献１に記載の如く、長靴本体の内面に設けられる裏布の素材に保温性のあるボア素材からなるものを用いて、防寒性を向上できるとしたものが開示されている。
【先行技術文献】
【特許文献】
【０００３】
【特許文献１】実開昭61-153503号公報
【考案の概要】
【考案が解決しようとする課題】
【０００４】
冬期の低温時には、長靴を履いた使用者の足元から冷え初め、全身で寒さを感じることがある。このような場合、特許文献１に記載の如くのボア素材を備えた長靴では、ボア素材の毛足が短く、使用者の足を毛で包み込むことができず、十分な防寒性を確保できない。
【０００５】
また、特許文献１に記載の長靴の使用環境によっては、ボア素材により温められて使用者の足元に発生した汗等の湿気が靴内にこもり、靴内環境を損ねて足蒸れを生ずる等のおそれがある。
【０００６】
本考案の課題は、長靴において、使用者の足元に十分な防寒性能を確保しながら、足蒸れ等を防いで靴内環境の快適化を図ることにある。
【課題を解決するための手段】
【０００７】
請求項１に係る考案は、長靴本体の内面に裏布が設けられ、この裏布の内部の履口部の側から爪先部の側へ足が挿入されて用いられる長靴であって、裏布における履口部から爪先部への足の挿入経路の中間部を素材切換部として定め、裏布の爪先部から素材切換部までの範囲に設けられる素材が保温素材からなり、裏布の履口部から素材切換部までの範囲に設けられる素材が上記保温素材と異なる他の素材からなるものとされ、保温素材は、少なくとも爪先部に対応する一部において、裏布の内部に挿入された足に直接的に接するように設けられ、他の素材は裏布の内部に挿入された足との間に通気空間を形成するように設けられてなるようにしたものである。
【０００８】
請求項２に係る考案は、請求項１に係る考案において更に、前記裏布の内部に足のひざ下部までが挿入されるとき、裏布の内部で足首よりも上部に対応する部位が素材切換部とされてなるようにしたものである。
【０００９】
請求項３に係る考案は、請求項１又は２に係る考案において更に、前記保温素材がボア素材からなり、ボア素材の毛が裏布の内部に挿入された足に直接的に接するように設けられるようにしたものである。
【００１０】
請求項４に係る考案は、請求項３に係る考案において更に、前記ボア素材が基材の表面に多数の毛を林立してなり、毛の長さが０．５cm乃至６．０cmの範囲に設定されてなるようにしたものである。
【００１１】
請求項５に係る考案は、請求項１乃至４のいずれかに係る考案において更に、前記他の素材がウレタン素材、天然繊維、化学繊維素材から選ばれた一種からなるようにしたものである。
【００１２】
請求項６に係る考案は、請求項１乃至５のいずれかに係る考案において更に、前記長靴本体には、該長靴が保温履物であることを示した商品表示が付されてなるようにしたものである。
【考案の効果】
【００１３】
（請求項１）
(a)長靴において、裏布の爪先部から素材切換部までの範囲に設けられる保温素材が、裏布の少なくとも爪先部に対応する一部において、裏布の内部に挿入された足に直接的に接する。従って、使用者が長靴を履くと、保温素材が使用者の足の少なくとも爪先を含む部分に直接的に接してこれを包み込み、履いた瞬間から保温素材の存在による暖かさを実感できる。冬期の低温時に、使用者の足元に十分な防寒性能を確保できる。
【００１４】
(b)長靴において、前記裏布の履口部から素材切換部までの範囲に設けられる他の素材が、裏布の内部に挿入された足との間に通気空間を形成する。従って、保温素材により温められて使用者の足元に発生した汗等の湿気は、上記の通気空間から靴外に放出され、靴内環境の快適化を図り、足蒸れ等を防止できる。
【００１５】
（請求項２）
(c)長靴において、前記裏布の内部に足のひざ下部までが挿入されるとき、裏布の内部で足首よりも上部に対応する部位が素材切換部とされる。使用者の足の爪先乃至足首の上部の範囲に対して十分な防寒性を確保するとともに、すね、ふくらはぎの周囲には確実に通気空間を形成して靴内環境の快適化を図ることができる。
【００１６】
（請求項３）
(d)前記保温素材がボア素材からなり、ボア素材の毛が裏布の内部に挿入された足に直接的に接するように設けられる。従って、ボア素材の毛足の長い毛により、使用者の足の少なくとも爪先を含む部分を確実に包み込み、使用者の足元に十分な防寒性を確保するものとすることができる。
【００１７】
（請求項４）
(e)前記ボア素材が基材の表面に多数の毛を林立してなり、毛の長さが０．５cm乃至６．０cmの範囲に設定される。これにより、使用者の足の少なくとも爪先を含む部分を確実に包み込み、使用者の足元に十分な防寒性を確保するものとすることができる。
【００１８】
（請求項５）
(f)前記他の素材として、ウレタン素材を用いることができる。ウレタン素材に限らず、天然繊維、化学繊維素材等を用いても良い。
【００１９】
（請求項６）
(g)前記長靴本体には、該長靴が保温履物であることを示した商品表示が付されるものとすることができる。
【図面の簡単な説明】
【００２０】
【図１】図１は実施例１の長靴を示す模式断面図である。
【図２】図２は実施例２の長靴を示す模式断面図である。
【図３】図３は実施例３の長靴を示す模式断面図である。
【図４】図４は実施例４の長靴を示す模式断面図である。
【図５】図５は札状商品表示を示す模式図である。
【図６】図６は帯状商品表示を示す模式図である。
【考案を実施するための形態】
【００２１】
（実施例１）（図１、図５、図６）
図１に示す長靴１０は、ゴム（ゴム以外のＰＶＣ、ＥＶＡ、ＰＵその他の素材でも可）からなる長靴本体１１の内部に裏布２０を設けている。長靴１０にあっては、裏布２０の内部の履口部２１の側から爪先部２２の側へ足１が挿入されて用いられる。本実施例において、裏布２０は、インナーソックス（靴下状袋体）２０Ａの形態からなる場合もある。
【００２２】
尚、図１において、１Ａは爪先、１Ｂは踵、１Ｃは足裏、１Ｄは甲、１Ｅはくるぶし、１Ｆは足首、１Ｇはすね、１Ｈはふくらはぎを示す。
【００２３】
裏布２０は、履口部２１から爪先部２２への足１の挿入経路の中間部を素材切換部２３として定める。裏布２０は、爪先部２２から素材切換部２３までの範囲に設けられる素材を保温素材３０からなるものとされ、履口部２１から素材切換部２３までの範囲に設けられる素材を保温素材３０と異なる他の素材４０からなるものとされている。
【００２４】
本実施例の長靴１０にあっては、使用者の足１が裏布２０の内部に膝下部まで挿入されたとき、図１に示す如く、裏布２０の内部で足首１Ｆよりも上部に対応する部位（長靴本体１１の靴底１２から高さＪをなす位置）が素材切換部２３とされる。但し、素材切換部２３は、長靴本体１１の靴底１２から高さＫをなす位置（すね１Ｇ及びふくらはぎ１Ｈに対応する部位）等、履口部２１から爪先部２２への足１の挿入経路の中間部におけるいかなる位置に設定されても良い。
【００２５】
保温素材３０は、少なくとも爪先部２２に対応する一部、本実施例では爪先部２２から素材切換部２３に渡る全部において、裏布２０の内部に挿入された足１に直接的に接するように設けられる。本実施例では、保温素材３０は、裏布２０の内部に挿入された足１における爪先１Ａ、踵１Ｂ、足裏１Ｃ、甲１Ｄ、くるぶし１Ｅ、足首１Ｆの上部に直接的に接するものになる。
【００２６】
保温素材３０は、本実施例において、ボア素材３１からなる。ボア素材３１は、基材３１Ａの表面に多数の直毛状、ウエーブ状、カール状等の毛３１Ｂを林立させてなり、毛３１Ｂが直毛状、ウエーブ状、カール状等のいずれであっても伸ばしたときの長さが０．５cm乃至６．０cmの範囲、より好適には１．０cm乃至４．０cmの範囲に設定される。ここで、「林立」とは、毛３１Ｂが基材３１Ａの表面に対して交差して立設していることを言う。これにより、ボア素材３１の毛３１Ｂの少なくとも先端部は裏布２０の内部に挿入された足１に直接的に接するように設けられる。ボア素材３１の基材３１Ａは、不織布、ポリエステル生地等の化繊素材からなるものでも良い。
【００２７】
他の素材４０は、裏布２０の内部に挿入された足１との間に筒状通気空間Ａを形成する。本実施例では、他の素材４０は、裏布２０の内部に挿入された足１におけるすね１Ｇ及びふくらはぎ１Ｈの周囲に、通気空間Ａを形成するものになる。
【００２８】
本実施例において、他の素材４０はウレタン素材４１からなる。ウレタン素材４１は外側面（長靴本体１１の内面に接する面）と内側面のそれぞれにポリエステル生地等の化繊生地を接着し、該ウレタン素材４１を破損から保護しても良い。他の素材４０は、ウレタン素材に限らず、天然繊維、化学繊維素材等の化繊素材等に代えることができる。
【００２９】
裏布２０は、保温素材３０と他の素材４０とを素材切換部２３において例えばジグザグ縫いで縫い合わされ、足１に渡る素材切換部２３の凹凸を極力なくすとともに、強い縫製力を確保可能にしている。
【００３０】
本実施例において、裏布２０は長靴本体１１の内面に接着される。長靴１０の製法は、例えば裏布２０を製作し、この裏布２０を型部材に被せ、裏布２０の外側面に長靴本体１１のゴムシートを巻いて貼り付けてゴム靴素材を形成し、このゴム靴素材の底部に長靴本体１１のゴム製靴底１２を接合して加硫成形を行ない、長靴１０を得る。但し、裏布２０は、長靴本体１１の内面（長靴本体１１の内面に貼着された例えば天然繊維、化学繊維素材の内面でも可）に脱着可能に設けることもできる。
【００３１】
長靴１０は、商品陳列段階で、図５に示す札状商品表示１００を付したり、図６に示す帯状商品表示２００を付し、この長靴１０が「足首までボアだからぽっかぽか！」等の表示により、防寒性能を高くした履物であることを説明できる。
【００３２】
本実施例によれば以下の作用効果を奏する。
(a)長靴１０において、裏布２０の爪先部２２から素材切換部２３までの範囲に設けられる保温素材３０が、裏布２０の少なくとも爪先部２２に対応する一部において、裏布２０の内部に挿入された足１に直接的に接する。従って、使用者が長靴１０を履くと、保温素材３０が使用者の足１の少なくとも爪先１Ａを含む部分に直接的に接してこれを包み込み、履いた瞬間から保温素材３０の存在による暖かさを実感できる。冬期の低温時に、使用者の足元に十分な防寒性能を確保できる。
【００３３】
(b)長靴１０において、前記裏布２０の履口部２１から素材切換部２３までの範囲に設けられる他の素材４０が、裏布２０の内部に挿入された足１との間に通気空間Ａを形成する。従って、保温素材３０により温められて使用者の足元に発生した汗等の湿気は、上記の通気空間Ａから靴外に放出され、靴内環境の快適化を図り、足蒸れ等を防止できる。
【００３４】
(c)長靴１０において、前記裏布２０の内部に足１のひざ下部までが挿入されるとき、裏布２０の内部で足首１Ｆよりも上部に対応する部位が素材切換部２３とされる。使用者の足１の爪先１Ａ乃至足首１Ｆの上部の範囲に対して十分な防寒性を確保するとともに、すね１Ｇ、ふくらはぎ１Ｈの周囲には確実に通気空間Ａを形成して靴内環境の快適化を図ることができる。
【００３５】
(d)前記保温素材３０がボア素材３１からなり、ボア素材３１の毛３１Ｂが裏布２０の内部に挿入された足１に直接的に接するように設けられる。従って、ボア素材３１の毛足の長い毛３１Ｂにより、使用者の足１の少なくとも爪先１Ａを含む部分を確実に包み込み、使用者の足元に十分な防寒性を確保するものとすることができる。
【００３６】
(e)前記ボア素材３１が基材３１Ａの表面に多数の毛３１Ｂを林立してなり、毛３１Ｂの長さが０．５cm乃至５．０cmの範囲に設定される。これにより、使用者の足１の少なくとも爪先１Ａを含む部分を確実に包み込み、使用者の足元に十分な防寒性を確保するものとすることができる。
【００３７】
(f)前記他の素材４０として、ウレタン素材４１を用いることができる。ウレタン素材４１に限らず、天然繊維、化学繊維素材等を用いても良い。
【００３８】
(g)前記長靴本体１１には、該長靴１０が保温履物であることを示した商品表示１００、２００が付されるものとすることができる。
【００３９】
尚、長靴１０にあっては、裏布２０の爪先部２２から素材切換部２３までの範囲を付加価値素材としてのボア素材３１等の保温素材３０により構成し、裏布２０のその余の部分を通常素材であるウレタン素材４１等の他の素材４０により構成したから、長靴１０の全体構成を簡易かつ低コストにし、十分な防寒性を確保しながら、靴内環境の快適化を実現できる。
【００４０】
（実施例２）（図２）
実施例２に係る長靴１０Ａは、実施例１に係る長靴１０と同様に、裏布２０における爪先部２２から足１の足首１Ｆよりも上部に対応する素材切換部２３までの範囲に保温素材３０（ボア素材３１）を設けるとともに、履口部２１から素材切換部２３までの範囲に他の素材４０（ウレタン素材４１Ａ）を設けた。そして、長靴１０Ａが長靴１０と実質的に異なる点は、温素材３０（ボア素材３１の毛３１Ｂ）が、裏布２０の内部に挿入された足１の爪先１Ａ、踵１Ｂ、足裏１Ｃ、甲１Ｄに対してだけ直接的に接し、くるぶし１Ｅ、足首１Ｆの部分には接しないようにしたことにある。長靴１０Ａにあっても、長靴１０におけると実質的に同様の作用効果を奏する。
【００４１】
（実施例３）（図３）
実施例３に係る長靴１０Ｂが実施例１に係る長靴１０と実質的に異なる点は、使用者の足１が裏布２０の内部に膝下部まで挿入されたとき、裏布２０の内部で足１の踵１Ｂ及び甲１Ｄに対応する部位を素材切換部２３とした。そして、裏布２０における爪先部２２から素材切換部２３までの範囲に保温素材３０（ボア素材３１）を設けるとともに、履口部２１から素材切換部２３までの範囲に他の素材４０（ウレタン素材４１）を設けた。これにより、長靴１０Ｂでは、保温素材３０（ボア素材３１の毛３１Ｂ）が、裏布２０の内部に挿入された足１の爪先１Ａ、踵１Ｂ、足裏１Ｃ、甲１Ｄに対して直接的に接するものになる。長靴１０Ｂにあっても、長靴１０におけると実質的に同様の作用効果を奏する。
【００４２】
（実施例４）（図４）
実施例４に係る長靴１０Ｃが実施例１に係る長靴１０と実質的に異なる点は、使用者の足１が裏布２０の内部に膝下部まで挿入されたとき、裏布２０の内部で足１における爪先１Ａとくるぶし１Ｅに挟まれる間で、足裏１Ｃの中間部と甲１Ｄの中間部とを結んだ部位を素材切換部２３とした。そして、裏布２０における爪先部２２から素材切換部２３までの範囲に保温素材３０（ボア素材３１）を設けるとともに、履口部２１から素材切換部２３までの範囲に他の素材４０（ウレタン素材４１）を設けた。これにより、長靴１０Ｃでは、保温素材３０（ボア素材３１の毛３１Ｂ）が、裏布２０の内部に挿入された足１の爪先１Ａ、足裏１Ｃの爪先側部分、甲１Ｄの爪先側部分に対して直接的に接するものになる。長靴１０Ｃにあっても、長靴１０におけると実質的に同様の作用効果を奏する。
【００４３】
尚、本考案の長靴は、保温素材３０として、以下の素材も採用できる。
i．アクリル繊維とウール繊維を混紡、混繊、混織したもの、例えばコーピロン（登録商標）ウール等、足１に接し、足１の発熱を吸熱乃至蓄熱する蓄熱機能部を少なくとも一部に備える素材。
【００４４】
ii．ウレタン等の多孔質体の孔に空気を蓄えて空気保温層を形成する保温層形成部を少なくとも一部に備える素材。
【００４５】
iii．天然繊維、化学繊維、又は両繊維を混ぜ合わせたものからなるボア繊維により構成されて足１に接する第１層と、天然繊維、化学繊維、両繊維を混ぜ合わせたもの、又は不織布から構成されて第１層の外側に積層される第２層とからなる素材。第１層は、汗等の湿気を吸湿して発熱し、高い抗菌吸汗性及び保温効果を発揮するとともに、毛足の長い柔らかなボア繊維構造で靴内の温かさを保ち、更に消臭機能を併せ持って長靴を履くときの悩みの１つである酸性臭やアルカリ臭を中和し、靴内環境を快適に保つ。第２層は、断冷効果の高い天然繊維、化学繊維、両繊維を混ぜ合わせたもの、又は不織布からなる上記素材により、底冷えするような寒い日や雪の日の靴底２からの冷えを防ぐ。
【００４６】
また、本考案の長靴は、保温素材３０を構成するボア素材３１として、以下の形態を採用できる。
【００４７】
・基材３１Ａの布と別体の毛３１Ｂを該基材３１Ａに絡ませる等により、基材３１Ａに毛３１Ｂを植毛する。これにより、基材３１Ａから立設される毛３１Ｂの長さを均一又は不均一に調整する。
【００４８】
・基材３１Ａの布自体を例えば針状のもので引掻いて起毛することにより、毛３１Ｂを形成する。これにより、基材３１Ａから立設される毛３１Ｂの長さを均一又は不均一に調整する。
【００４９】
・摩擦布を使用して起毛する等の各種起毛技術を用いて起毛化された毛を備えるものとする。
【００５０】
・基材３１Ａから立設している毛３１Ｂを加熱してカール状等に変形し、毛３１Ｂの形状、長さを調整する。
【００５１】
また、本考案の長靴は、甲材料の素材や形状を変更したり、靴底をロール底やスパイク底等に変更し、或いは先芯を入れたセーフティータイプとし、更には、インナーソックス２０Ａの裏面にクッション性に優れたＥＶＡ、天然、化学繊維素材インソールを設けて歩行時の足裏への衝撃を緩和する等、軽量化、強化、安全性及び履き心地の向上等を図ることができる。
【００５２】
また、本考案の長靴は、履物全般に適用でき、運動靴、作業靴、セーフティーシューズ、雨靴、サンダル、革靴、子供靴、介護シューズ、登山靴、ハイキングシューズ、防寒靴、ルームシューズ、ウォーキングシューズ、ガーデンシューズ、ガーデンブーツ等に広く適用できる。
【００５３】
以上、本考案の実施例を図面により詳述したが、本考案の具体的な構成はこの実施例に限られるものではなく、本考案の要旨を逸脱しない範囲の設計の変更等があっても本考案に含まれる。例えば、本考案の長靴において、「裏布」は、インナーソックスタイプに限らない。また、「裏布」は長靴本体と接着される等によって一体化されても良いし、一体化されずに着脱自在とされても良い。
【産業上の利用可能性】
【００５４】
本考案によれば、長靴において、使用者の足元に十分な防寒性能を確保しながら、足蒸れ等を防いで靴内環境の快適化を図ることができる。
【符号の説明】
【００５５】
１  足
１０  長靴
１１  長靴本体
２０  裏布
２１  履口部
２２  爪先部
２３  素材切換部
３０  保温素材
３１  ボア素材
３１Ａ  基材
３１Ｂ  毛
４０  他の素材
４１  ウレタン素材
Ａ  通気空間
【図１】
0003206926.tif 000003
【図２】
0003206926.tif 000004
【図３】
0003206926.tif 000005
【図４】
0003206926.tif 000006
【図５】
0003206926.tif 000007
【図６】
0003206926.tif 000008